(57)【要約】【課題】  排水スリーブを形成する半割パイプの固定、半割パイプの端面の露出防止、施工過程における排水スリーブ内へのセメント等の流れ込み防止が可能な排水スリーブ用キャップを得る。【解決手段】  排水スリーブの外周面の両端部を覆うように形成された湾曲面部と、排水スリーブの両端の開口部を塞ぐように形成された平面部と、排水スリーブを載置した地表面に対し平行に、湾曲面部の両端からそれぞれ延在する２つのフランジ部とからなり、平面部は、その全周に複数の繋ぎ目を有したスリットを備える。【選択図】  図３
0003126312.tif 000002
【実用新案登録請求の範囲】
【請求項１】
排水スリーブの外周面の両端部を覆うように形成された湾曲面部と、
前記排水スリーブの両端の開口部を塞ぐように形成された平面部と、
前記排水スリーブを載置した地表面に対し平行に、前記湾曲面部の両端からそれぞれ延在する２つのフランジ部とからなり、
前記平面部は、その全周に複数の繋ぎ目を有したスリットを備えた
ことを特徴とする排水スリーブ用キャップ。
【請求項２】
湾曲面部における排水スリーブの外周面と対向する面上には、前記湾曲面部と前記排水スリーブとの間に、圧縮状態で介在する弾性部材が貼付されている
ことを特徴とする請求項１に記載の排水スリーブ用キャップ。
【請求項３】
２つのフランジ部には、それぞれ貫通穴が設けられている
ことを特徴とする請求項１乃至請求項２の何れかに記載の排水スリーブ用キャップ。
【考案の詳細な説明】
【技術分野】
【０００１】
本考案は、排水スリーブに関し、特に、排水スリーブの固定、ノロ止めが可能であり、かつ、簡単な施工で排水スリーブの開口部を形成できる排水スリーブ用キャップに関する。
【背景技術】
【０００２】
従来の排水スリーブについて、図２及び図６を用いて説明する。
【０００３】
図２は、半割パイプの斜視図である。図６は、従来の排水スリーブの施工過程を示す断面図である。
【０００４】
図２において、６は排水スリーブを形成する半割パイプである。図６において、７は型枠であり、セメントを流し込む空間を形成する。
【０００５】
図２、図６に示す通り、従来の排水スリーブは、半割パイプ６を地表面に載置し、半割パイプ６の両端に型枠７を設置した上で、液状のセメント（図示せず）を流し込むことにより施工されるものであった。
【考案の開示】
【考案が解決しようとする課題】
【０００６】
上述した従来の排水スリーブでは、施工過程において、半割パイプを地表面に載置した後、半割パイプの十分な固定がされていなかった。その為、施工過程、例えば、セメントを流し込む際に、半割パイプの位置ずれが問題となっていた。また、施工後の排水スリーブ開口部では、半割パイプの端面（カット面）が露出してしまう為、外観を損なうという課題があった。更に、半割パイプと型枠の接触面に存在してしまう隙間からセメントが流れ込み、その結果、施工後、排水スリーブ内にセメントが残留してしまうという課題があった。
【０００７】
本考案は、上述のような課題を解決する為になされたものであり、半割パイプの固定、半割パイプの端面の露出防止、施工過程中の排水スリーブ内へのセメントの流れ込み防止が可能な排水スリーブ用キャップを得るものである。
【課題を解決するための手段】
【０００８】
本考案に係る排水スリーブ用キャップは、排水スリーブの外周面の両端部を覆うように形成された湾曲面部と、排水スリーブの両端の開口部を塞ぐように形成された平面部と、
排水スリーブを載置した地表面に対し平行に、湾曲面部の両端からそれぞれ延在する２つのフランジ部とからなり、平面部は、その全周に複数の繋ぎ目を有したスリットを備える。
【考案の効果】
【０００９】
本考案に係る排水スリーブ用キャップにおいては、半割パイプの固定、半割パイプの端面の露出防止、施工過程中の排水スリーブ内へのセメントの流れ込み防止が可能である。
【考案を実施するための最良の形態】
【００１０】
実施の形態１．
以下、本実施の形態１における排水スリーブ用キャップについて説明する。
【００１１】
図１（ａ）は、本考案を実施する為の実施の形態１における排水スリーブ用キャップの斜視図である。図１（ｂ）は、図１（ａ）における矢印Ａ方向から見た斜視図である。図２は、半割パイプの斜視図である。図３は、半割パイプと排水スリーブ用キャップが接続された状態を示す斜視図である。図４は、図３に示す排水スリーブ用キャップの両端に型枠を当接させた状態を、図３に示すＩ−Ｉ断面として示した断面図である。図５は、施工後（型枠を取り除いた後）の状態を示す斜視図である。
【００１２】
図１（ａ）において、１は排水スリーブ用キャップであり、湾曲面部２、平面部３、フランジ部４が一体に樹脂成形されている。尚、本実施の形態１では、排水スリーブ用キャップ１を樹脂成形しているが、これに限らず、材料、製法は限定されるものではない。
【００１３】
平面部３は、スリット３ｃにより、平面部３ａと平面部３ｂに分割されており、平面部３ａは平面部３ｂに対し、繋ぎ目３ｄにより接続保持されている。
【００１４】
フランジ部４は、面上に貫通穴４ａが形成されている。
【００１５】
図１（ｂ）において、５は湾曲面部２の内面に貼付された弾性部材であり、本実施の形態１においては、発泡性のクッション材である。尚、弾性部材５は、後述する半割パイプの外周面との間に圧縮された状態で介在し、半割パイプの外周面と湾曲面部２の内面との間の隙間を埋めるものである。よって、当該機能を有するものであれば、材料は限定されず、例えば、発泡性のクッション材の代わりにゴム材を用いても良い。
【００１６】
図２において、６は半割パイプであり、排水スリーブを形成するものである。
【００１７】
図３に示すように、排水スリーブ用キャップ１は、半割パイプ６の両端に被せるように配置される。この時、半割パイプ６の外径と湾曲面部２の内径との差は、クッション材５の厚みより小さく設計されており、従って、上述した通り、クッション材５は圧縮された状態で、半割パイプ６の外周面と湾曲面部２の内周面との間に介在する。
【００１８】
また、貫通穴４ａを通し、釘（図示せず）を地表面に打ち込みことで、半割パイプ６を排水スリーブの配置場所に固定でき、かつ、クッション材５の圧縮状態を保持できる。
【００１９】
図４に示すように、型枠７で囲まれた空間に、図中矢印Ｂから、液状のセメント（図示せず）を流し込むと、セメントは、型枠７で囲まれた空間に充填され、その後、固化する。この時、型枠７で囲まれた空間における地表面には、排水スリーブ用キャップ１が両端に被さった半割パイプ６が載置され、固定されている為、排水スリーブ用キャップ１と半割パイプ６は固化したセメント内に埋設されることになる。
【００２０】
尚、液状のセメントを流し込む工程において、クッション材５により、湾曲面部２の内周面と半割パイプ６の外周面との間の隙間にセメントが流れ込むことを防止している。
【００２１】
図５に示す通り、セメント８が固化し、型枠を取り除いた状態では、排水スリーブの開口部となる部分は、平面部３が露出していることとなる。即ち、半割パイプ６の端面（カット面）は、排水スリーブ用キャップ１の平面部３により隠蔽されている。
【００２２】
上述した図５に示す状態において、平面部３ａ部のみに、例えば、ハンマーなどを打ち付けると、その衝撃力により、繋ぎ目３ｄが破断し、平面部３ａと平面部３ｂの接続は絶たれる。即ち、平面部３ａは除去され、排水スリーブの開口部が形成される。
【００２３】
以上の通り、本実施の形態１における排水スリーブ用キャップを用いた排水スリーブの施工においては、複雑な工程を必要とせず、半割パイプ６の固定、半割パイプ６の端面の露出防止、施工過程における排水スリーブ内へのセメント等の流れ込み防止が可能であり、また、排水スリーブの開口部の形成も、ハンマー等により平面部３ａを打ち抜くことにより簡単に行うことが可能である。延いては、簡単な施工で、外観良好な排水スリーブを得ることができる。
【図面の簡単な説明】
【００２４】
【図１】（ａ）は、本考案を実施する為の実施の形態１における排水スリーブ用キャップの斜視図である。（ｂ）は、図１（ａ）における矢印Ａ方向から見た斜視図である。
【図２】半割パイプの斜視図である。
【図３】半割パイプと排水スリーブ用キャップが接続された状態を示す斜視図である。
【図４】図３に示す排水スリーブ用キャップの両端に型枠を当接させた状態を、図３に示すＩ−Ｉ断面として示した断面図である。
【図５】施工後（型枠を取り除いた後）の状態を示す斜視図である。
【図６】従来の排水スリーブの施工過程を示す断面図である。
【符号の説明】
【００２５】
１  排水スリーブ用キャップ
２  湾曲面部
３  平面部
３ｃ  スリット
３ｄ  繋ぎ目
４  フランジ部
４ａ  貫通穴
５  クッション材（弾性部材）
６  半割パイプ（排水スリーブ）
【図１】
0003126312.tif 000003
【図２】
0003126312.tif 000004
【図３】
0003126312.tif 000005
【図４】
0003126312.tif 000006
【図５】
0003126312.tif 000007
【図６】
0003126312.tif 000008